(57)【要約】【課題】低い所定回転速度以下の状態でしか脱水かごに触れることができないようにしているので、安全性の高い脱水機を提供する。【解決手段】外蓋２３の下方に設けた前内蓋３１ａと後内蓋３１ｂとは、内蓋連結軸部３４により中折れ状態になるように連結され、後内蓋３１ｂはその後端部に横方向に向けて突設した内蓋用回転軸部３２により内蓋用回転軸支持部３３に回転可能に枢支され、前内蓋３１ａの両側壁の前端部には略円筒状の突起３５を設け、カバー体１９の開口部２０の上部両側壁には、横方向に凹状にへこみ前後方向に延びたガイド溝３６を設けており、突起３５はガイド溝３６内で矢印Ｃ方向および反矢印Ｃ方向に移動可能に遊嵌されている。【選択図】図４
2005287614.tif 000002
【特許請求の範囲】
【請求項１】
本体と、前記本体に内設され被脱水物を収容する脱水かごと、前記脱水かごを回転駆動するモータと、前記脱水かごに臨む本体の開口部を開閉する内蓋と、後部に回転軸を有し前記内蓋の上から前記開口部を開閉する外蓋とを備え、前記内蓋は中折れ状態になるように相互間を回転自在に連結した前内蓋と後内蓋とで構成し、前記本体に前記後内蓋の後端部が軸支され、前記前内蓋の前端部は前記本体に前後方向にスライド可能に支持された脱水機。
【請求項２】
前内蓋の左右両側壁の前端部に突起を設け、本体には前記前内蓋および後内蓋の左右両側壁に対向して前後に延びた凹溝を設け、前記突起が前記凹溝内を前後方向にスライドするように構成した請求項１記載の脱水機。
【請求項３】
内蓋を開くための内蓋取手部を前内蓋または後内蓋の少なくともいずれか一方に設けた請求項１または２に記載の脱水機。
【請求項４】
内蓋取手部は凹状に凹んだ凹部を有し、外蓋には前記凹部の対応位置にリブを設け、前記外蓋が閉じられた状態において、前記リブの下端部分が前記内蓋取手部に近接するとともに前記凹部に近接または入り込むように構成した請求項３記載の脱水機。
【請求項５】
前内蓋の前端には前方へ突出する前方突出部を設け、本体には内蓋閉時に前記前方突出部が入り込む孔部を設けた請求項１〜４のいずれか１項に記載の脱水機。
【発明の詳細な説明】
【技術分野】
【０００１】
本発明は外蓋と内蓋とを有する脱水機に関するものである。
【背景技術】
【０００２】
従来、脱水機においては、脱水かごの上方に外蓋を設け、その開閉をスイッチのオン・オフおよびブレーキ動作と連動させ、外蓋を開いたときは脱水かごに連結したモータの電源を切り、脱水かごの回転を停止させていた。しかしながら、外蓋を開いても脱水かごはしばらくの間、慣性によって回転を続けるので、その回転中に脱水かごの中に手を入れると手指を傷つけることがあった。そこでそれに対応するために脱水かごの上方開口部を開閉自在に覆うように一端を軸支してなる内蓋と、この内蓋の上方を開閉自在に覆うように内蓋の一端と対応する端部を軸支してなる外蓋とを設けた脱水機が提供されている（例えば、特許文献１参照）。
【０００３】
図５は、従来の脱水機を示したもので、以下その構成について説明する。
【０００４】
本体１の下部にはベース２が設けられており、内部には水受槽３が設けられている。水受槽３はその上部に操作パネル４を載置するとともに、内部に脱水かご５を回転自在に配設している。水受槽３の上方開口周縁には、衣類投入用開口部６を設けるとともに、内蓋７を開閉自在とするべくその一端側を軸支した軸支部８および内蓋７の軸支側と対向する端部に設けた爪９を着脱自在に係止する孔よりなる係止部１０を具備した脱水カバー１１を設けている。脱水カバー１１の衣類投入用開口部６は脱水かご５の開口部１２の上方に位置し、内蓋７は開口部６を開閉する。外蓋１３は、操作パネル４の内部において、内蓋７の軸支部８側の端部を軸支しており、脱水カバー１１および内蓋７の上方を開閉自在に覆っている。
【０００５】
以上のように構成された脱水機について、その動作を以下に説明する。
【０００６】
脱水かご５の回転中に使用者が、何らかの理由（被脱水物の追加、あるいは途中取り出し）で、外蓋１３を開放すると、外蓋１３の開閉に連動する開閉スイッチ（図示せず）が開状態となることにより、脱水かご５を回転させるモータ（図示せず）への通電が断たれるとともに、ブレーキが動作する。その後使用者は、内蓋７を引き上げ開放し、衣類投入用開口部６から手を入れ、脱水かご５内の被脱水物に取り出す。
【特許文献１】実公昭６１−３７４３６号公報
【発明の開示】
【発明が解決しようとする課題】
【０００７】
しかしながら、このような従来の脱水機においては、使用者が、脱水かご５の回転中に外蓋１３を少しだけ開け、さらにその後すぐに内蓋７を少しだけ開けると、脱水かご５が高速で回転している状態で、その脱水かご５の上縁や中の被脱水物に手や指が触れ得る可能性があり、手や指を傷つけるといった危険な状態になる可能性があった。
【０００８】
本発明は、上記従来の課題を解決するもので、脱水かごが高速回転状態では使用者は脱水かごに触れることはできず、脱水かごが完全に停止した状態であるか、あるいは、回転していたとしても安全性を確保できる低い所定回転速度以下の状態でしか脱水かごに触れることができないようにしているので、安全性の高い脱水機を提供することを目的としている。
【課題を解決するための手段】
【０００９】
本発明は上記目的を達成するために、本発明の脱水機は、本体と、前記本体に内設され被脱水物を収容する脱水かごと、前記脱水かごを回転駆動するモータと、前記脱水かごに臨む本体の開口部を開閉する内蓋と、後部に回転軸を有し前記内蓋の上から前記開口部を開閉する外蓋とを備え、前記内蓋は中折れ状態になるように相互間を回転自在に連結した前内蓋と後内蓋とで構成し、前記本体に前記後内蓋の後端部が軸支され、前記前内蓋の前端部は前記本体に前後方向にスライド可能に支持されたものである。
【００１０】
これにより、脱水かごが高速回転状態では使用者は脱水かごに触れることはできず、脱水かごが完全に停止した状態であるか、あるいは、回転していたとしても安全性を確保できる低い所定回転速度以下の状態でしか触れることができないようにしているので、安全性の高い脱水機を提供することができる。
【発明の効果】
【００１１】
本発明の脱水機は、脱水かごが高速回転状態では使用者は脱水かごに触れることはできず、脱水かごが完全に停止した状態であるか、あるいは、回転していたとしても安全性を確保できる低い所定回転速度以下の状態でしか触れることができないようにしているので、安全性の高い脱水機を実現することができる。
【発明を実施するための最良の形態】
【００１２】
第１の発明は、本体と、前記本体に内設され被脱水物を収容する脱水かごと、前記脱水かごを回転駆動するモータと、前記脱水かごに臨む本体の開口部を開閉する内蓋と、後部に回転軸を有し前記内蓋の上から前記開口部を開閉する外蓋とを備え、前記内蓋は中折れ状態になるように相互間を回転自在に連結した前内蓋と後内蓋とで構成し、前記本体に前記後内蓋の後端部が軸支され、前記前内蓋の前端部は前記本体に前後方向にスライド可能に支持された脱水機とすることにより、外蓋を所定量だけ開けた状態でなければ、内蓋を開けることができないため、脱水かごが高速回転状態では使用者は脱水かごに触れることはできず、脱水かごが完全に停止した状態であるか、あるいは、回転していたとしても安全性を確保できる低い所定回転速度以下の状態でしか触れることができないようにしているので、安全性の高い脱水機を実現することができる。
【００１３】
第２の発明は、上記第１の発明の脱水機において、前内蓋の左右両側壁の前端部に突起を設け、本体には前記前内蓋および後内蓋の左右両側壁に対向して前後に延びた凹溝を設け、前記突起が前記凹溝内を前後方向にスライドするように構成したことにより、前内蓋および後内蓋を円滑に開閉することができるとともに、前内蓋の前端部を上げて蓋を開くといった動作を確実に防止することができるので、手や指が中に入ってしまうという危険な状態になるのを防止することができ、安全性を向上させることができる。
【００１４】
第３の発明は、上記第１または第２の発明の脱水機において、内蓋を開くための内蓋取手部を前内蓋または後内蓋の少なくともいずれか一方に設けたことにより、内蓋を円滑に開閉することができる。
【００１５】
第４の発明は、上記第３の発明の脱水機において、内蓋取手部は凹状に凹んだ凹部を有し、外蓋には前記凹部の対応位置にリブを設け、前記外蓋が閉じられた状態において、前記リブの下端部分が前記内蓋取手部に近接するとともに前記凹部に近接または入り込むように構成したことにより、外蓋をその前端部の下から手または指が入る程度開けただけでは、対向リブが邪魔になり使用者は内蓋取手部に手をかけることができず、内蓋を開けることができないので、高速回転している脱水かごに触れることができず、さらに安全性を向上させることができる。
【００１６】
第５の発明は、上記第１〜第４のいずれか１つの発明の脱水機において、前内蓋の前端には前方へ突出する前方突出部を設け、本体には内蓋閉時に前記前方突出部が入り込む孔部を設けたことにより、前内蓋の前端部が浮き上がってしまうのを防止できるので、そこから手や指が入ってしまうのを防止することができ、さらに安全性を向上させることができる。
【００１７】
以下、本発明の実施の形態について、図面を参照しながら説明する。また、この実施の形態によって本発明が限定されるものではない。
【００１８】
（実施の形態１）
図１は本発明の実施の形態１における脱水機の側断面図である。図１において、脱水機の本体１４には、水受槽１５を内設し、その水受槽１５内に脱水かご１６を配設するとともに、本体１４の下部に脱水かご１６を回転駆動するモータ１７を弾性支持機構１８を介して弾性支持している。水受槽１５の上面には本体１４の一部をなすカバー体１９を装着し、その略中央部には脱水かご１６内に臨む被脱水物の出し入れ用の開口部２０を形設している。
【００１９】
本体１４の後方上部にはパネル台２１が取り付けられ、そのパネル台２１を覆うようにパネル部材２２が設けられている。その前方には外蓋２３が設けられ、外蓋２３は後端部にヒンジ部２４と後方突出部２５を形成している。パネル部材２２の内部でパネル台２１の上面には、ヒンジ部２４に設けたヒンジ軸２４ａを矢印Ａ方向および反矢印Ａ方向に回動可能に軸支するヒンジ軸受部２６が形成されている。外蓋２３は、その前方部に外蓋取手部２３ａを有し、ヒンジ軸２４ａを中心に開閉可能にカバー体１９を覆っている。
【００２０】
モータ１７の上方にはブレーキ機構２７が配設されており、ブレーキ機構２７は、モータ１７の回転軸１７ａに固定され一体に回転するブレーキドラム２８と、ブレーキパット（図示せず）を有しそのブレーキパットがブレーキドラム２８に摺接して制動力を付与することができるブレーキレバー２９と、このブレーキレバー２９に連結されブレーキレバー２９の位置を変更させることができる可動部材２９ａと、ブレーキレバー２９のブレーキパットがブレーキドラム２８に摺接して制動力を付与する位置に付勢するスプリング（図示せず）とから構成されている。可動部材２９ａにはコントロールワイヤー３０の一端が連結されており、コントロールワイヤー３０の他端はコントロールワイヤー取付板３０ａに連結されている。コントロールワイヤー取付板３０ａの上端部には、略Ｌ字状に折り曲げた略逆Ｌ字部３０ｂが外蓋２３に形成した後方突出部２５に係止可能に設けられている。
【００２１】
この構成において、外蓋２３が閉塞された状態では、後方突出部２５は略水平状態であるため、コントロールワイヤー取付板３０ａの略逆Ｌ字部３０ｂが後方突出部２５に係止されている。このとき、コントロールワイヤー３０は可動部材２９ａを介して、ブレーキレバー２９のブレーキパットがブレーキドラム２８に摺接して制動力を付与する位置に付勢するスプリングの付勢力に抗してブレーキレバー２９のブレーキパットをブレーキドラム２８から離れる方向に引っ張る状態となり、ブレーキレバー２９のブレーキパットはブレーキドラム２８から離間して制動力を解除する制動力不作用位置に移動する。一方、外蓋２３が開放されると、後方突出部２５は矢印Ａ方向に回転移動し、コントロールワイヤー取付板３０ａの略逆Ｌ字部３０ｂの後方突出部２５への係止が外れる。そのため、ブレーキレバー２９のブレーキパットは、スプリングの付勢力により、ブレーキドラム２８に摺接して制動力を付与する制動力作用位置に移動する。
【００２２】
また、外蓋２３の下方のカバー体１９には開口部２０を覆う内蓋３１が設けられている。内蓋３１は前内蓋３１ａと後内蓋３１ｂとからなり、後内蓋３１ｂの後端部には横方向に向けて突設した内蓋用回転軸部３２を設け、内蓋用回転軸部３２はカバー体１９の後方部に設けた内蓋用回転軸支持部３３に矢印Ｂおよび反矢印Ｂ方向に回転可能に枢支されている。
【００２３】
図２は本発明の実施の形態１における脱水機の外蓋２３および内蓋３１の閉状態での要部側断面図、図３は本発明の実施の形態１における脱水機の外蓋２３および内蓋３１の開状態での要部側断面図、図４は本発明の実施の形態１における脱水機の外蓋２３および内蓋３１の開状態での要部断面矢視図である。
【００２４】
図１、図２、図３および図４において、前内蓋３１ａと後内蓋３１ｂとは内蓋連結軸部３４により中折れ状態になるように連結されている。前内蓋３１ａの両側壁の前端部には略円筒状の突起３５を設け、カバー体１９の開口部２０の上部両側壁には、横方向に凹状にへこみ前後方向に延びたガイド溝３６を設けており、突起３５はガイド溝３６内で矢印Ｃ方向および反矢印Ｃ方向に移動可能に遊嵌されている。
【００２５】
図２に示すように、前内蓋３１ａの上面には凹んだ凹部３７を設け、凹部３７の前方側の一部を前内蓋３１ａの上面と略面一に覆い、内蓋取手部３８としている。図４に示すように、この内蓋取手部３８に手を掛け上方に引き上げることにより、前内蓋３１ａが突起３５を中心として矢印Ｄ方向に回転し、内蓋連結軸部３４が上昇するとともに、突起３５はガイド溝３６内を矢印Ｃ方向に移動する。それと同時に、後内蓋３１ｂは内蓋連結軸部３４の上昇に伴って内蓋用回転軸部３２を中心に矢印Ｂ方向に回転し、図３に示すように、内蓋３１が開いた状態となる。一方、内蓋３１を閉じる際には、前内蓋３１ａの内蓋取手部３８を反矢印Ｃ方向に引くことにより、前内蓋３１ａの突起３５がガイド溝３６内を反矢印Ｃ方向に移動するとともに前内蓋５５ｂは反矢印Ｄ方向に突起３５を中心に回転するとともに、内蓋連結軸部３４が下降する。それと同時に、後内蓋３１ｂは内蓋連結軸部３４の下降に伴って内蓋用回転軸部３２を中心に反矢印Ｂ方向に回転し、内蓋３１が閉じた状態となる。この構成により、内蓋３１を円滑に開閉することができるものである。
【００２６】
また、外蓋２３の内面側には、外蓋２３および内蓋３１を閉じた状態で前内蓋３１ａに設けた凹部３７に対応する位置にリブ３９を設け、そのリブ３９はその下端部が内蓋取手部３８に近接し、かつ凹部３７内に入り込むように形成している。
【００２７】
さらに、前内蓋３１ａの前端中央下部には、前方へ突出する前方突出部４０を設けており、カバー体１９の開口部４１の前端中央部には、内蓋３１が閉状態で前方突出部４０が入り込む孔部４２を設けている。
【００２８】
上記構成において動作を説明すると、使用者は、脱水機の外蓋２３および内蓋３１が開いた状態で、開口部２０を介して脱水かご１６内に被脱水物を投入する。その後、前内蓋３１ａの内蓋取手部３８を反矢印Ｃ方向に引くことにより内蓋３１を閉じた後、外蓋２３を閉じる。これにより、ブレーキ機構２７の制動力が解除され、脱水かご１６が回転可能な状態となる。この状態において、使用者が図示しない脱水開始スイッチをＯＮ状態にすると、モータ１７に電力が供給され、脱水かご１６が所定回転数で所定時間回転する脱水動作が開始される。その後、所定時間経過するとモータ１７への電力の供給が絶たれ、脱水かご１６は惰性回転を行った後停止する。その後、使用者は、外蓋取手部２３ａに手をかけ引き上げることにより外蓋２３を開き、内蓋取手部３８に手をかけ引き上げることにより内蓋３１を開いた後、被脱水物を脱水かご１６内から取り出して、脱水を終了する。
【００２９】
上記脱水動作中に、使用者が、何らかの理由（被脱水物の追加、あるいは途中取り出し）で、脱水動作中に、外蓋２３を開ける際の動作について説明する。まず、使用者は、脱水動作中に外蓋取手部２３ａに手をかけ引き上げることにより外蓋２３を開く。この際、外蓋２３を所定量以上開放しなければ、前内蓋３１ａの内蓋取手部３８に手をかけて内蓋３１を開こうとしても、内蓋取手部３８を上方に引き上げることができないため、開くことができない。そして、外蓋２３を所定量以上開放した後、前内蓋３１ａの内蓋取手部３８に手をかけて上方に引き上げ内蓋３１を開く。このとき、外蓋２３は、所定量以上開かれることにより、コントロールワイヤー取付板３０ａの略逆Ｌ字部３０ｂの係止が、外蓋２３の後方突出部２５から確実に外れ、脱水かご１６の回転に確実にブレーキをかけることができる。したがって、使用者が内蓋３１を開ける際には、脱水かご１６は、完全に停止した状態であるか、あるいは、回転していたとしても安全性を確保できる低い所定回転速度以下である。
【００３０】
また、外蓋２３の内面側に、外蓋２３および内蓋３１を閉じた状態で前内蓋３１ａに設けた凹部３７に対応する位置にリブ３９を設け、そのリブ３９はその下端部が内蓋取手部３８に近接し、かつ凹部３７内に入り込むように形成しているので、使用者が、外蓋２３を手や指が入る程度開いた後、内蓋取手部３８に手をかけようとしても、リブ３９が邪魔となり、手をかけることができないので、高速回転している脱水かごに触れることができい構成となっている。そのため、内蓋３１を開くためには、確実に外蓋２３を所定量以上開かなければならないので、その際、モータ１７への電力供給遮断およびブレーキ機構２７の制動力により、脱水かご１６の回転を確実に安全性を確保できる低い所定回転速度以下にすることができる。
【００３１】
さらに、前内蓋３１ａの前端中央下部には、前方へ突出する前方突出部４０を設けており、カバー体１９の開口部４１の前端中央部には、内蓋３１が閉状態で前方突出部４０が入り込む孔部４２を設けているので、前内蓋３１ａの内蓋取手部３８に手をかけて引き上げたとしても、前内蓋３１ａの前端部のみが浮き上がるといった現象は発生しない。また、熱変形、経時変化等により、前内蓋３１ａが変形したとしても、前端部のみが浮き上がるといった現象は発生しない。したがって、内蓋３１が閉じた状態で、前内蓋３１ａの前端部から、手や指が入ることはない。したがって、手または指が回転している脱水かご１６あるいは被脱水物にからみ付くことがなく、安全性の高い脱水機を実現することができる。
【００３２】
したがって、上記構成によれば、脱水かごが高速回転状態では使用者は脱水かごに触れることはできず、脱水かごが完全に停止した状態であるか、あるいは、回転していたとしても安全性を確保できる低い所定回転速度以下の状態でしか触れることができないようにしているので、安全性の高い脱水機を実現することができるものである。
【００３３】
なお、本実施の形態１では、凹部３７および内蓋取手部３８を前内蓋３１ａに設けたが、凹部３７および内蓋取手部３８を後内蓋３１ｂに設け、そこに対応する外蓋２３の内面側にリブ３９を設けてもよく、この構成によっても、同等の効果が得られることは言うまでもない。
【００３４】
また、リブ３９はその下端部が内蓋取手部３８に近接し、かつ凹部３７内に入り込むように形成しているが、外蓋２３を所定量以上開放しなければ、内蓋取手部３８に手をかけることができない構成であれば、リブ３９下端部が凹部３７内に入り込むまで延ばさなくて、凹部３７に近接させるだけでも、同等の効果が得られることは言うまでもない。
【産業上の利用可能性】
【００３５】
以上のように、本発明にかかる脱水機は、脱水かごが高速回転状態では使用者は脱水かごに触れることはできず、脱水かごが完全に停止した状態であるか、あるいは、回転していたとしても安全性を確保できる低い所定回転速度以下の状態でしか触れることができないようにしているので、外蓋と内蓋とを有する脱水機および脱水機能を有するとともに外蓋と内蓋とを有する洗濯機等として有用である。
【図面の簡単な説明】
【００３６】
【図１】本発明の実施の形態１の脱水機の側断面図
【図２】同脱水機の外蓋および内蓋の閉状態での要部側断面図
【図３】同脱水機の外蓋および内蓋の開状態での要部側断面図
【図４】同脱水機の外蓋および内蓋の開状態での要部断面矢視図
【図５】従来の脱水機の側断面図
【符号の説明】
【００３７】
１４  本体
１６  脱水かご
１７  モータ
２０  開口部
２３  外蓋
２４ａ  ヒンジ軸（回転軸）
３１  内蓋
３１ａ  前内蓋
３１ｂ  後内蓋
【図１】
2005287614.tif 000003
【図２】
2005287614.tif 000004
【図３】
2005287614.tif 000005
【図４】
2005287614.tif 000006
【図５】
2005287614.tif 000007